(57)【要約】【課題】  移動自在に設けた２つのプッシャプレートで区切られ、これらのプッシャプレートの移動によりそのサイズが変化する２つの紙幣収納空間に対して個別に収納されている紙幣の有無を検知するための構成を簡単にすることで、装置本体のコストダウンを図った紙幣処理装置を提供する。【解決手段】  紙幣処理装置１は、プリズム１３ａを利用して２つの紙幣収納空間に対して収納されている紙幣の有無を個別ではなく総合的に検知し、いずれかの紙幣収納空間に紙幣が収納されていることが検出されたとき、第１の紙幣収納空間に対して収納されている紙幣の有無を検知する。このように、簡単な構成で、２つの紙幣収納空間に対して個別に紙幣が収納されているかどうかを検知することができ、装置本体のコストダウンが図れる。【選択図】  図６
2006004039.tif 000002
【特許請求の範囲】
【請求項１】
収納されている紙幣を繰り出す繰出ローラに対して接離する方向に移動自在に取り付けた２つのプッシャプレートにより、前記繰出ローラとこの繰出ローラに近い側の一方のプッシャプレートとで区切られた第１の紙幣収納空間、およびこれら２つのプッシャプレートで区切られた第２の紙幣収納空間を有する紙幣収納手段と、
前記一方のプッシャプレートを前記繰出ローラに対して接離する方向に移動する第１の駆動手段と、
前記他方のプッシャプレートを前記繰出ローラに対して接離する方向に移動する第２の駆動手段と、
前記繰出ローラ側から、前記一方のプッシャプレートを介して他方のプッシャプレートに光を照射し、その光の反射光を検知する光センサを有し、この光センサが他方のプッシャプレートに照射している光の反射光を検知しているかどうかにより、前記紙幣収納手段に紙幣が収納されているかどうかを検知する収納紙幣検知手段と、
前記第１の駆動手段により前記一方のプッシャプレートを繰出ローラ側に移動し、前記繰出ローラに押圧される紙幣の有無を検知する押圧検知手段と、
前記収納紙幣検知手段により前記紙幣収納空間に紙幣が収納されていることが検知されると、前記前記押圧検知手段が第１の駆動手段により前記一方のプッシャプレートを移動し、前記繰出ローラに押圧される紙幣を検知しているとき、少なくとも前記一方の紙幣収納空間に紙幣が収納されていると判定し、反対に前記押圧検知手段が前記繰出ローラに押圧される紙幣を検知しなかったときに、前記他方の紙幣収納空間に紙幣が収納されていると判定する紙幣収納空間判定手段と、を備えた紙幣処理装置。
【請求項２】
前記押圧検知手段は、前記第１の駆動手段または前記第２の駆動手段により前記繰出ローラに紙幣が押圧されたときに回動する検知レバーと、この検知レバーの回動を検知する回動検知センサと、を有する請求項１に記載の紙幣処理装置。
【請求項３】
前記収納紙幣検知手段は、前記繰出ローラ側に配置され、前記一方のプッシャプレートに形成した第１の開口部を介して他方のプッシャプレートに光を照射する発光部と、
前記他方のプッシャプレートに設けられ、前記発光部から照射された光を折り曲げ、前記一方のプッシャプレートに形成した第２の開口部を介して前記繰出ローラ側に送るプリズムと、
前記繰出ローラ側に配置され、前記プリズムにより送られてきた光を受光する受光部と、を有する請求項１または２に記載の紙幣処理装置。
【請求項４】
入金取引時に、前記第１の駆動手段および第２駆動手段により前記２つのプッシャプレートを移動し、前記第１の紙幣収納空間を紙幣の入出金口に対向させ、この第１の紙幣収納空間に対する入金紙幣の投入を受け付ける入金紙幣受付手段と、
前記第１の駆動手段により前記一方のプッシャプレートを移動し、前記入金紙幣受付手段により受け付け、前記第１の紙幣収納空間に収納している入金紙幣を前記繰出ローラに押圧している状態で、この繰出ローラを回転させて前記第１の紙幣収納空間に収納している入金紙幣を１枚ずつ繰り出す入金紙幣繰出手段と、
前記入金紙幣繰出手段が繰り出した入金紙幣毎に受入可能紙幣であるかどうかを鑑別する鑑別手段と、
前記鑑別手段で受入可能紙幣でないと鑑別された入金紙幣をリジェクト紙幣として前記第２の紙幣収納空間へ搬送し収納するリジェクト手段と、を備えた請求項１〜３のいずれかに記載の紙幣処理装置。
【請求項５】
前記第１の紙幣収納空間に収納している全ての入金紙幣を前記入金紙幣繰出手段により繰り出した後、前記鑑別手段で受入可能紙幣でないと鑑別された前記リジェクト紙幣が前記第２の紙幣収納空間に収納されていれば、この第２の紙幣収納空間を紙幣の入出金口に対向させ、収納しているリジェクト紙幣の取り出しを許可する請求項４に記載の紙幣処理装置。
【発明の詳細な説明】
【技術分野】
【０００１】
この発明は、本体に投入された紙幣を受け付ける入金取引や、本体に収納している紙幣を放出する出金取引を行う紙幣処理装置に関する。
【背景技術】
【０００２】
従来、入金取引や出金取引を行うＡＴＭやＣＤ等の紙幣処理装置が金融機関やコンビニエンスストア等の店舗に設置されている。従来の紙幣処理装置には、入出金口の内側に入金取引や出金取引にかかる紙幣（入出金紙幣）を収納する入出金紙幣収納空間が形成されている。また、入出金紙幣収納空間に収納されている紙幣を１枚ずつ分離して搬送路に繰り出す分離繰出機構や、搬送路を搬送されてきた紙幣を入出金紙幣収納空間に集積するスタック機構が設けられている。入出金口には、シャッタが設けられている。
【０００３】
従来の紙幣処理装置は、入金取引時、シャッタを開して、入出金紙幣収納空間に紙幣が投入されるのを待つ。紙幣処理装置は、紙幣が入出金紙幣収納空間に投入されると、シャッタを閉し、入出金紙幣収納空間に投入された紙幣を１枚ずつ分離して繰り出し、鑑別部に搬送する。鑑別部は、搬送されてきた紙幣毎に受入可能紙幣であるかどうかの鑑別を行う。受入可能紙幣とは、真券であり、且つ装置本体で取り扱っている金種の紙幣である。例えば、真券であると鑑別しても、取り扱っていない金種の紙幣であれば受入可能紙幣でないと鑑別する。紙幣処理装置は、受入可能紙幣であると鑑別された紙幣（以下、受入紙幣と言う。）を一時保留部に搬送して収納し、反対に受入可能紙幣でないと鑑別された紙幣（以下、リジェクト紙幣と言う。）を前記一時保留部とは別に設けたリジェクト紙幣保留部に搬送して収納する。紙幣処理装置は、入出金紙幣収納空間に今回投入された全ての紙幣を鑑別すると、リジェクト紙幣保留部に収納しているリジェクト紙幣を入出金紙幣収納空間に搬送し収納する。リジェクト紙幣を入出金紙幣収納空間に全て収納すると、再度シャッタを開して、このリジェクト紙幣を利用者に返却する。リジェクト紙幣がなかった場合には、言い換えれば利用者に返却するリジェクト紙幣がない場合には、この処理は行われない。また、紙幣処理装置は入金金額（受入紙幣の合計金額）が利用者により確認されると、この入金金額の入金取引を処理する。このとき、一時保留部に保留している受入紙幣を１枚ずつ繰り出し、再度鑑別部に搬送し、紙幣の再鑑別を行う。そして、各紙幣をこの再鑑別で鑑別した金種に応じた入出金カートリッジに搬送し収納する。
【０００４】
なお、紙幣処理装置は、入金金額が利用者によって確認されることなく、入金取引の中止が入力された場合、一時保留部に保留している受入紙幣を１枚ずつ繰り出し、入出金紙幣収納空間に搬送し収納する。そして、シャッタを開して利用者が今回投入した全ての紙幣をこの利用者に返却する。一時保留部は、利用者が入金取引を途中で中止したときに、この利用者に対して今回投入された全ての紙幣を返却するために設けている。
【０００５】
なお、紙幣処理装置は、入金取引、および出金取引において、入出金紙幣収納空間に利用者が取り忘れた紙幣があれば、この取り忘れ紙幣を回収カートリッジに搬送して収納する。
【０００６】
このように、従来の紙幣処理装置は、装置本体に一時保留部に加えてリジェクト紙幣保留部を別途設けなければならず、装置本体が大型であった。一時保留部は、上述したように、入金取引が途中で中止された場合に、利用者が投入した全ての紙幣をこの利用者に返却するために必要である。また、リジェクト紙幣保留部は、受入可能紙幣でないと鑑別された紙幣を利用者に返却するために必要である。
【０００７】
そこで、入出金口に対向する入出金紙幣収納空間を入金紙幣を投入する投入紙幣空間と、リジェクト紙幣や出金紙幣を収納するリジェクト紙幣空間とに分割し、装置を小型化することが特許文献１で提案されている。具体的には、入出金口に対向する入出金紙幣収納空間に中板を設け、この中板で入金紙幣を投入する投入紙幣空間と、リジェクト紙幣や出金紙幣を収納するリジェクト紙幣空間とに分けることが提案されている。また、中板を移動することで、これらの空間の大きさを必要に応じて調整することが記載されている。この紙幣処理装置は、入金取引時にリジェクト紙幣をリジェクト紙幣空間に直接搬送して収納することができ、装置本体にリジェクト紙幣収納部を設ける必要がないので、装置本体を小型にできる。
【特許文献１】特開２０００−９９７９５号公報
【発明の開示】
【発明が解決しようとする課題】
【０００８】
しかしながら、特許文献１で示されている構成では、投入紙幣空間やリジェクト紙幣空間は移動させた中板の位置により、その空間が殆ど存在しない状態、言い換えれば入出金紙幣収納空間の殆どが投入紙幣空間またはリジェクト紙幣空間の一方の空間として使用される状態、になることがある。また、投入紙幣空間およびリジェクト紙幣空間に対して、個別に収納されている紙幣の有無を検知する必要がある。このため、投入紙幣空間およびリジェクト紙幣空間に対して、その空間が殆ど存在していない状態から、反対に入出金紙幣収納空間の殆ど全体を使用している状態まで、どの状態であっても収納されている紙幣の有無が検知できなければならず、投入紙幣空間およびリジェクト紙幣空間に対して個別に収納されている紙幣の有無を検知するための構成が複雑であり、装置本体が高価であるという問題があった。
【０００９】
なお、特許文献１には、投入紙幣空間およびリジェクト紙幣空間に対して個別に収納されている紙幣の有無を検知するための構成について特に記載されていない。
【００１０】
この発明の目的は、移動自在に設けた２つのプッシャプレートで区切られ、これらのプッシャプレートの移動によりそのサイズが変化する２つの紙幣収納空間に対して個別に収納されている紙幣の有無を検知するための構成を簡単にすることで、装置本体のコストダウンを図った紙幣処理装置を提供することにある。
【課題を解決するための手段】
【００１１】
この発明の紙幣処理装置は、上記課題を解決するために以下の構成を備えている。
【００１２】
（１）収納されている紙幣を繰り出す繰出ローラに対して接離する方向に移動自在に取り付けた２つのプッシャプレートにより、前記繰出ローラとこの繰出ローラに近い側の一方のプッシャプレートとで区切られた第１の紙幣収納空間、およびこれら２つのプッシャプレートで区切られた第２の紙幣収納空間を有する紙幣収納手段と、
前記一方のプッシャプレートを前記繰出ローラに対して接離する方向に移動する第１の駆動手段と、
前記他方のプッシャプレートを前記繰出ローラに対して接離する方向に移動する第２の駆動手段と、
前記繰出ローラ側から、前記一方のプッシャプレートを介して他方のプッシャプレートに光を照射し、その光の反射光を検知する光センサを有し、この光センサが他方のプッシャプレートに照射している光の反射光を検知しているかどうかにより、前記紙幣収納手段に紙幣が収納されているかどうかを検知する収納紙幣検知手段と、
前記第１の駆動手段により前記一方のプッシャプレートを繰出ローラ側に移動し、前記繰出ローラに押圧される紙幣の有無を検知する押圧検知手段と、
前記収納紙幣検知手段により前記紙幣収納空間に紙幣が収納されていることが検知されると、前記前記押圧検知手段が第１の駆動手段により前記一方のプッシャプレートを移動し、前記繰出ローラに押圧される紙幣を検知しているとき、少なくとも前記一方の紙幣収納空間に紙幣が収納されていると判定し、反対に前記押圧検知手段が前記繰出ローラに押圧される紙幣を検知しなかったときに、前記他方の紙幣収納空間に紙幣が収納されていると判定する紙幣収納空間判定手段と、を備えている。
【００１３】
この構成では、紙幣収納手段が紙幣を繰り出す繰出ローラに対して接離する方向に移動自在に取り付けた２つのプッシャプレートにより、繰出ローラとこの繰出ローラに近い側の一方のプッシャプレートとで区切られた第１の紙幣収納空間、および２つのプッシャプレートで区切られた第２の紙幣収納空間を有する。第１の駆動手段、および第２駆動手段により２つのプッシャプレートを移動することで、第１の紙幣収納空間、および第２の紙幣収納空間のサイズを調整できる。また、収納紙幣検知手段が繰り出しローラ側から、この繰出ローラに近い側の一方のプッシャプレートを介して他方のプッシャプレートに光を照射し、その反射光を検知する光センサにより、第１の紙幣収納空間または第２の紙幣収納空間に紙幣が収納されているかどうかを検知する。具体的には、光センサが反射光を受光していれば、第１の紙幣収納空間および第２の紙幣収納空間に紙幣が収納されていないとし、光センサが反射光を受光していなければ、第１の紙幣収納空間または第２の紙幣収納空間の少なくとも一方に紙幣が収納されているとする、検知を行う。また、紙幣収納空間判定手段が、前記押圧検知手段が第１の駆動手段により前記一方のプッシャプレートを移動し、前記繰出ローラに押圧される紙幣を検知しているとき、少なくとも前記一方の紙幣収納空間に紙幣が収納されていると判定し、反対に前記押圧検知手段が前記繰出ローラに押圧される紙幣を検知しなかったときに、前記他方の紙幣収納空間に紙幣が収納されていると判定する。
【００１４】
このように、収納紙幣検知手段が２つの紙幣収納空間に対して収納されている紙幣の有無を個別ではなく総合的に検知し、いずれかの紙幣収納空間に紙幣が収納されていることが検出されたとき、押圧検知手段により第１の紙幣収納空間に対して収納されている紙幣の有無を検知する。したがって、押圧検知手段が第１の紙幣収納空間に収納されている紙幣があると検知したときには、少なくとも第１の紙幣収納空間に収納されている紙幣があり、反対に押圧検知手段が第１の紙幣収納空間に収納されている紙幣がないと検知したときには、第２の紙幣収納空間に収納されている紙幣がある。また、第１の紙幣収納空間に収納されている紙幣があることが検知された場合、繰出ローラにより第１の紙幣収納空間に収納されている紙幣を繰り出すことで、第２の紙幣収納空間に紙幣が収納されているかどうかを検知することができる。
【００１５】
したがって、簡単な構成で第１の紙幣収納空間および第２の紙幣収納空間に対して個別に紙幣が収納されているかどうかを検知することができ、装置本体のコストダウンが図れる。
【００１６】
（２）前記押圧検知手段は、前記第１の駆動手段または前記第２の駆動手段により前記繰出ローラに紙幣が押圧されたときに回動する検知レバーと、この検知レバーの回動を検知する回動検知センサと、を有する。
【００１７】
この構成では、押圧検知手段を、繰出ローラに紙幣が押圧されたときに回動する検知レバーと、この検知レバーの回動を検知するセンサとで構成したので、安価に実現できる。
【００１８】
（３）前記収納紙幣検知手段は、前記繰出ローラ側に配置され、前記一方のプッシャプレートに形成した第１の開口部を介して他方のプッシャプレートに光を照射する発光部と、
前記他方のプッシャプレートに設けられ、前記発光部から照射された光を折り曲げ、前記一方のプッシャプレートに形成した第２の開口部を介して前記繰出ローラ側に送るプリズムと、
前記繰出ローラ側に配置され、前記プリズムにより送られてきた光を受光する受光部と、を有する。
【００１９】
この構成では、プリズムを利用したので、簡単な構成で紙幣収納手段、すなわち第１の紙幣収納空間および第２の紙幣収納空間、に紙幣が収納されているかどうかを検知することができ、装置本体のコストダウンが図れる。
【００２０】
（４）入金取引時に、前記第１の駆動手段および第２駆動手段により前記２つのプッシャプレートを移動し、前記第１の紙幣収納空間を紙幣の入出金口に対向させ、この第１の紙幣収納空間に対する入金紙幣の投入を受け付ける入金紙幣受付手段と、
前記第１の駆動手段により前記一方のプッシャプレートを移動し、前記入金紙幣受付手段により受け付け、前記第１の紙幣収納空間に収納している入金紙幣を前記繰出ローラに押圧している状態で、この繰出ローラを回転させて前記第１の紙幣収納空間に収納している入金紙幣を１枚ずつ繰り出す入金紙幣繰出手段と、
前記入金紙幣繰出手段が繰り出した入金紙幣毎に受入可能紙幣であるかどうかを鑑別する鑑別手段と、
前記鑑別手段で受入可能紙幣でないと鑑別された入金紙幣をリジェクト紙幣として前記第２の紙幣収納空間へ搬送し収納するリジェクト手段と、を備えている。
【００２１】
この構成では、入金取引時に、第１の紙幣収納空間が入金紙幣の投入空間、第２の紙幣収納空間がリジェクト紙幣の収納空間として利用するので、装置本体を小型にできる。
【００２２】
（５）前記第１の紙幣収納空間に収納している全ての入金紙幣を前記入金紙幣繰出手段により繰り出した後、前記鑑別手段で受入可能紙幣でないと鑑別された前記リジェクト紙幣が前記第２の紙幣収納空間に収納されていれば、この第２の紙幣収納空間を紙幣の入出金口に対向させ、収納しているリジェクト紙幣の取り出しを許可する。
【００２３】
この構成では、２つのプッシャプレートを移動し、第２の紙幣収納空間を紙幣の入出金口に対向させることにより、利用者にリジェクト紙幣を返却することができる。
【発明の効果】
【００２４】
この発明によれば、簡単な構成で、第１の紙幣収納空間および第２の紙幣収納空間に対して個別に紙幣が収納されているかどうかを検知することができ、装置本体のコストダウンが図れる。
【発明を実施するための最良の形態】
【００２５】
以下、この発明の実施形態である紙幣処理装置について説明する。
【００２６】
図１は、この発明の実施形態である紙幣処理装置の主要部の構成を示す概略断面図である。この実施形態の紙幣処理装置１は、入金取引、および出金取引が行える所謂ＡＴＭである。紙幣処理装置１には、本体正面に紙幣の入出金口２が形成されている。この入出金口２には、シャッタ２ａが設けられている。入出金口２に対向する装置本体の内側には、受けプレート１１、第１のプッシャプレート１２、第２のプッシャプレート１３、第３のプッシャプレート１４が、入出金口２の下端側からこの順に立設されている。受けプレート１１は、一方の端部を入出金口２の下端の辺に沿って立設している。この受けプレート１１は固定されている。一方、第１のプッシャプレート１２、第２のプッシャプレート１３、および第３のプッシャプレート１４は、受けプレート１１に対して接離する方向に移動時自在に取り付けている。受けプレート１１と第１のプッシャプレート１２とで区切られた空間がこの発明で言う第１の紙幣収納空間に相当し、第１のプッシャプレート１２と第２のプッシャプレート１３とで区切られた空間がこの発明で言う第２の紙幣収納空間に相当する。
【００２７】
また、３は受けプレート１１と第１のプッシャプレート１２との間の空間、および第１のプッシャプレート１２と第２のプッシャプレート１３との間の空間に収納されている紙幣を繰り出す繰出ローラを含む分離繰出機構であり、４は第１のプッシャプレート１２と第２のプッシャプレート１３との間に紙幣を送り収納する送りローラを含むスタック機構であり、さらに５は第２のプッシャプレート１３と第３のプッシャプレート１４との間の空間に収納されている紙幣を繰り出す繰出ローラ、およびこの間に紙幣を送り込む送りローラを含む分離繰出／スタック機構である。第１のプッシャプレート１２の一方の端部が入出金口２の上端の辺に沿って立設し、第２のプッシャプレート１３が第１のプッシャプレート１２に当接し、第３のプッシャプレート１４が第２のプッシャプレート１３から入出金口２と略同じ幅だけ離れた位置に立設している状態を初期状態（第１〜第３のプッシャプレート１２〜１４が初期位置にある状態）と呼ぶ。
【００２８】
スタック機構４は、第２のプッシャプレート１３が初期位置にあるとき、第１のプッシャプレート１２と第２のプッシャプレート１３との間に紙幣を送り込むことができる。また、分離繰出／スタック機構５は、第３のプッシャプレート１４が初期位置にあるとき、第２のプッシャプレート１３と第３のプッシャプレート１４との間に紙幣を送り込むことができる。また、第３のプッシャプレート１４は、分離繰出／スタック機構５の繰出ローラが対向する位置に切欠を形成しており、分離繰出／スタック機構５の繰出ローラはこの切欠を介して第２のプッシャプレート１３側に突出する。分離繰出／スタック機構５の繰出ローラは、第２のプッシャプレート１３側に突出する向きに付勢されている。したがって、第２のプッシャプレート１３に押し上げられて第３のプッシャプレート１４に当接している紙幣、すなわち第２のプッシャプレート１３と第３のプッシャプレート１４との間の空間に収納されている紙幣、を１枚ずつ繰り出すことができる。
【００２９】
さらに、受けプレート１１は、分離繰出機構３の繰出ローラが対向する位置に切欠を形成しており、分離繰出機構３の繰出ローラはこの切欠を介して第１のプッシャプレート１２側に突出する。また、この繰出ローラは、詳細については後述するが、第１のプッシャプレート１２側に突出する向きに付勢されている。したがって、受けプレート１１と第１のプッシャプレート１２との間の紙幣収納空間に収納されている紙幣は、この繰出ローラに当接する。分離繰出機構３は、第１のプッシャプレート１２に押し下げられて分離繰出機構３の繰出ローラに当接している紙幣を１枚ずつ繰り出すことができる。また、第１のプッシャプレート１２にも、分離繰出機構３の繰出ローラが対向する位置に切欠を形成しており、第１のプッシャプレート１２を受けプレート１１に当接する位置に移動させたとき、分離繰出機構３の繰出ローラは受けプレート１１、および第１のプッシャプレート１２の切欠を介して第２のプッシャプレート１３側に突出する。したがって、第１のプッシャプレート１２と第２のプッシャプレート１３との間の紙幣収納空間に収納されている紙幣は、この繰出ローラに当接する。分離繰出機構３は、第２のプッシャプレート１３に押し下げられて分離繰出機構３の繰出ローラ３に当接している紙幣を１枚ずつ繰り出すことができる。
【００３０】
このように、分離繰出機構３は受けプレート１１と第１のプッシャプレート１２との間の空間、および第１のプッシャプレート１２と第２のプッシャプレート１３との間の空間に収納されている紙幣を繰り出すことができ、分離繰出／スタック機構５は第２のプッシャプレート１３と第３のプッシャプレート１４との間の空間に収納されている紙幣を繰り出すことができる。
【００３１】
また、図１に示す６は紙幣毎に受入可能な紙幣であるかどうかを鑑別する鑑別部であり、７ａ〜７ｃは金種毎に設けた紙幣カートリッジであり、８は取り忘れ紙幣等を回収する回収カートリッジである。受入可能な紙幣とは、真券であり、且つ装置本体で取り扱っている金種の紙幣である。例えば、鑑別部６は真券であると鑑別しても、取り扱っていない金種の紙幣であれば受入可能な紙幣でないと鑑別する。受けプレート１１と第１のプッシャプレート１２との間の紙幣収納空間（この発明で言う第１の紙幣収納空間）は、入金取引時における紙幣の投入空間として使用される。第１のプッシャプレート１２と第２のプッシャプレート１３との間の紙幣収納空間（この発明で言う第２の紙幣収納空間）は、入金取引時におけるリジェクト紙幣（鑑別部６で受付可能な紙幣でないと鑑別され紙幣）の収納空間として使用される。さらに、第２のプッシャプレート１３と第３のプッシャプレート１４との間の紙幣収納空間は、入金取引時に受入紙幣（鑑別部６で受付可能な紙幣であると鑑別された紙幣）を一時的に保留する一時保留空間、および出金取引時に出金紙幣（紙幣カートリッジ７ａ〜７ｃから繰り出した紙幣）を収納する収納空間として使用される。紙幣処理装置１は、第１〜第３のプッシャプレート１２〜１４を移動し、これらのプッシャプレート１２〜１４の位置を調整することで、これらの紙幣収納空間のサイズ（対向する２枚のプレート間の距離）や、位置を調整することができる。
【００３２】
紙幣処理装置１には、受けプレート１１と第１のプッシャプレート１２との間の紙幣収納空間から繰り出した紙幣を鑑別部６を経由して、第１のプッシャプレート１２と第２のプッシャプレート１３との間の紙幣収納空間、または第２のプッシャプレート１３と第３のプッシャプレート１４との間の紙幣収納空間に搬送したり、第２のプッシャプレート１３と第３のプッシャプレート１４との間の紙幣収納空間から繰り出した紙幣を鑑別部６を経由して紙幣カートリッジ７ａ〜７ｃや回収カートリッジ８に搬送したり、さらには紙幣カートリッジ７ａ〜７ｃから繰り出した紙幣を鑑別部６経由して第２のプッシャプレート１３と第３のプッシャプレート１４との間の紙幣収納空間に搬送する紙幣搬送路が形成されている。この紙幣搬送路には、搬送している紙幣の送り先に応じて、紙幣の搬送経路を切り替えるフラッパが設けられている。この紙幣搬送路の構成については、公知であるのでここでは説明を省略する。
【００３３】
図２は、受けプレート、および第１〜第３のプッシャプレートの取り付け状態を示す概略図である。この図２では、分離繰出機構３、スタック機構４、および分離繰出／スタック機構５については図示を省略している。図２は、第１〜第３のプッシャプレートが初期位置にあるときを示している。受けプレート１１は、一方の端部が入出金口２の下端の辺に沿うように立設している。この受けプレート１１は、上述したように固定されており、移動しない。第１のプッシャプレート１２は、受けプレート１１に当接する位置と一方の端部が略入出金口２の上端の辺に沿う位置との間で移動自在に取り付けられている。第１のプッシャプレート１２は、第１のアクチュエータ２１により、受けプレート１１に対して接離する方向に移動される。受けプレート１１と第１のプッシャプレート１２との間の紙幣収納空間の幅は、第１のプッシャプレート１２が初期位置にあるときが最大であり、入出金口２の幅と略同じであり、図２に示すように第１のプッシャプレート１２が初期位置にあるとき、受けプレート１１と第１のプッシャプレート１２との間の紙幣収納空間が入出金口２に対向する。反対に、第１のプッシャプレート１２が受けプレート１１に当接する位置にあるときが最小であり、その幅が略０である。
【００３４】
第２のプッシャプレート１３は、第１のバネ２２を介して駆動プレート２３に連結されている。駆動プレート２３は、第２のアクチュエータ２４により上下方向（受けプレート１１に対して接離する方向）に移動される。第２のプッシャプレート１３は、この駆動プレート２３を第１のプッシャプレート１２側に移動させることにより、第１のプッシャプレート１２側に移動できる。第２のプッシャプレート１３は第１のプッシャプレート１２に当接する位置より下方に移動することはない。図３に示すように、第１のプッシャプレート１２が受けプレート１１に当接する位置にあり、且つ第２のプッシャプレート１３が初期位置にあるとき、第１のプッシャプレート１２と第２のプッシャプレート１３との間の紙幣収納空間が入出金口２に対向している。
【００３５】
さらに、第３のプッシャプレート１４は、第２のバネ２５により第２のプッシャプレート１３から離れる方向に付勢されている。第３のプッシャプレート１４は、長穴２６ａを形成した連結プレート２６により第２のプッシャプレート１３に連結している。具体的には、図２に示すように、第３のプッシャプレート１４の側面に連結プレート２６を取り付け、第２のプッシャプレート１３の側面に設けた凸部２７を連結プレート２６の長穴に挿入することで、第２のプッシャプレート１３と第３のプッシャプレート１４とを連結している。第３のプッシャプレート１４は図２に示す位置が最も上方に移動している状態であり、この状態であるとき図示していないストッパに当接しており、これより上方に移動することはない。このとき、凸部２７は長穴２６ａの下側の端部に当接している。
【００３６】
第２のプッシャプレート１３は、図４に示すように、図示していないストッパに当接して停止している第３のプッシャプレート１４に当接する位置まで上方に移動できる。紙幣処理装置１は、第２のプッシャプレート１３を第３のプッシャプレート１４側に押し上げることで、第２のプッシャプレート１３と第３のプッシャプレート１４との間の紙幣収納空間に収納されている紙幣を分離繰出／スタック機構５の繰出ローラに押圧する。また、第２のプッシャプレート１３の側面に設けた凸部２７が連結プレート２６の長穴２６ａの下端に当接している状態において、さらに第２のアクチュエータ２４により駆動プレート２３を下方に移動すると、第２のプッシャプレート１３の下方への移動にともなって、第３のプッシャプレート１４が下方に移動する。図５に示すように、第１のプッシャプレート１２が受けプレート１１に当接する位置にあり、且つ第２のプッシャプレート１３が第１のプッシャプレート１２に当接する位置にあるとき、第３のプッシャプレート１４の位置は一方の端部が入出金口２の上端の辺に沿う位置である。このとき、第２のプッシャプレート１３と第３のプッシャプレート１４との間の紙幣収納空間が入出金口２に対向する。
【００３７】
このように、第１のアクチュエータ２１、および第２のアクチュエータ２４の２つの駆動部により、第１〜第３のプッシャプレート１２〜１４を移動し、これらのプッシャプレート１２〜１４の位置を調整することで、３つの紙幣収納空間のいずれかを入出金口２に対向させることができる。
【００３８】
次に、受けプレート１１と第１のプッシャプレート１２との間の紙幣収納空間、および第１のプッシャプレート１２と第２のプッシャプレート１３との間の紙幣収納空間に対して、個別に紙幣が収納されているかどうかを検知する構成について説明する。図６は、この発明の収納紙幣検知手段、および押圧検知手段にかかる構成を示す図である。受けプレート１１については図示を省略している。図６において、３ａは分離繰出機構部３の繰出ローラであり、３ｂは分離繰出機構部３のフィードローラである。繰出ローラ３ａの回転軸は、回動自在に取り付けられたピックレバー３ｃに取り付けられている。ピックレバー３ｃには、バネ３ｄが連結されている。ピックレバー３ｃは、このバネ３ｄの付勢力により繰出ローラ３ａを第１のプッシャプレート１２側に押し上げる方向に回動する。
【００３９】
また、繰出ローラ３ａの回転軸の上方には、紙幣の繰出方向に延びる空検知レバー３１が回動自在に取り付けられている。この空検知レバー３１には、その先端（紙幣の繰出方向側の先端）を第１のプッシャプレート１２側に押し上げる方向に回動させる付勢力を発生するバネ３２が連結されている。また、空検知センサ３３は空検知レバー３１の回動を検出するセンサである。空検知センサ３３は、発光部と受光部とを対向させて配置したフォトセンサである。空検知レバー３１の先端がバネ３２の付勢力に抗して押し下げられていないとき、空検知センサ３３の発光部と受光部との間に空検知レバー３１の一部が位置する。また、空検知レバー３１の先端がバネ３２の付勢力に抗して押し下げられているとき、空検知センサ３３の発光部と受光部との間から空検知レバー３１の一部が退避する。したがって、空検知センサ３３は空検知レバー３１の先端がバネ３２の付勢力に抗して押し下げられたときにオンし、押し下げられていないときにオフする。
【００４０】
第１のプッシャプレート１２は、図７に示すように繰出ローラ３ａおよび空検知レバー３１が対向する位置にスリット１２ａを形成しているので、受けプレート１１側に移動させたときに受けプレート１１と第１のプッシャプレート１２との間の紙幣収納空間に紙幣が収納されていなければ、繰出ローラ３ａおよび空検知レバー３１がスリット１２ａを介して第２のプッシャプレート１３側に突出する形状である。言い換えれば、繰出ローラ３ａおよび空検知レバー３１は、第１のプッシャプレート１２を受けプレート１１側に移動させたとき、受けプレート１１と第１のプッシャプレート１２との間の紙幣収納空間に紙幣が無ければ受けプレート１１側に押圧されない。
【００４１】
また、第１のプッシャプレート１２には、左右両側に２つずつ開口部１２ｂ、１２ｃが設けられている。受けプレート１１の下方には、発光部４１、および受光部４２が配置されている。発光部４１は、照射した光が一方の開口部１２ｂを介して第２のプッシャプレート１３に照射される位置に配置されている。第２のプッシャプレート１３は、図８に示すように、第１のプッシャプレート１２に対向する側の面に、発光部４１から照射された光を折り曲げ、第１のプッシャプレート１２に形成されている他方の開口部１２ｃを介して受光部４２に照射するプリズム１３ａを左右両側に設けている。したがって、受けプレート１１と第１のプッシャプレート１２との間の紙幣収納空間、および第１のプッシャプレート１２と第２のプッシャプレート１３との間の紙幣収納空間に収納されている紙幣が無ければ、受光部４２において発光部４１から照射されている光が受光される。さらに、第２のプッシャプレート１３は、図８に示すように空検知レバー３１が対向する位置に溝１３ｂを形成しているので、受けプレート１１側に移動させたとき、受けプレート１１と第１のプッシャプレート１２との間の紙幣収納空間、および第１のプッシャプレート１２と第２のプッシャプレート１３との間の紙幣収納空間に収納されている紙幣が無ければ、空検知レバー３１が溝１３ｂに入り込む形状である。言い換えれば、空検知レバー３１は、第２のプッシャプレート１３を受けプレート１１側に移動させたとき、受けプレート１１と第１のプッシャプレート１２との間の紙幣収納空間、および第１のプッシャプレート１２と第２のプッシャプレート１３との間の紙幣収納空間に収納されいる紙幣が無ければ受けプレート１１側に押圧されない。
【００４２】
なお、図示していないが、受けプレート１１は第１のプッシャプレート１２と略同じ形状である。
【００４３】
以下、この実施形態の紙幣処理装置１における入金取引時の動作について説明する。
【００４４】
なお、紙幣処理装置１における通帳やカードに対する処理については公知であるので、ここでは説明を省略する。
【００４５】
図９、１０は、この実施形態の紙幣処理装置における入金取引時の処理を示すフローチャートである。紙幣処理装置１は、入金取引が選択されると、この処理を開始する。紙幣処理装置１は、第１〜第３のプッシャプレート１２〜１４を初期位置に移動する（ｓ１）。上述したように、第１〜第３のプッシャプレート１２〜１４が初期位置にあるとき、受けプレート１１と第１のプッシャプレート１２との間の紙幣収納空間（以下、紙幣投入空間と言う。）が入出金口２に対向している。紙幣処理装置１は、シャッタ２ａを開し（ｓ２）、紙幣投入空間に紙幣が投入されるのを待つ（ｓ３）。紙幣処理装置１は、紙幣投入空間に紙幣が投入されると、シャッタ２ａを閉する（ｓ４）。紙幣処理装置１は、発光部４１から照射している光が受光部４２において受光されなくなったときに、紙幣投入空間に紙幣が投入された判定する。紙幣処理装置１は、第１のプッシャプレート１２を受けプレート１１側に移動する（ｓ５）。これにより、紙幣投入空間に収納された紙幣が、分離繰出機構３の繰出ローラ３ａ、および空検知レバー３１を押圧する。これにより、空検知レバー３１が回動し、空検知センサ３３がオンする（図１１参照）。また、このときピックレバー３ｃも回動しており、紙幣投入空間に投入されている紙幣は分離繰出機構３の繰出ローラ３ａに適当な押圧力で押圧されている。
【００４６】
紙幣処理装置１は、分離繰出機構３の繰出ローラ３ａを回転させて、紙幣投入空間に投入されている紙幣を１枚ずつ繰り出し（ｓ６）、繰り出した紙幣を鑑別部６に搬送する。そして、鑑別部６で、受入可能紙幣であるかどうかの鑑別を行う（ｓ７）。紙幣処理装置１は、鑑別部６において受入可能紙幣であると鑑別した紙幣を第２のプッシャプレート１３と第３のプッシャプレート１４との間の紙幣収納空間（以下、一時保留空間と言う。）に搬送し、収納する（ｓ８、ｓ９）。反対に、鑑別部６で受入可能紙幣でないと鑑別された紙幣（リジェクト紙幣）については、第１のプッシャプレート１２と第２のプッシャプレート１３との間の紙幣収納空間（以下、リジェクト紙幣収納空間と言う。）に搬送し、収納する（ｓ８、ｓ１０）。紙幣処理装置１は、ｓ６〜ｓ９の処理を、紙幣投入空間に投入された全ての紙幣について繰り返し行う（ｓ１１）。言い換えれば、紙幣処理装置１は紙幣投入空間に投入された全ての紙幣について受入可能紙幣であるかどうかの鑑別を行う。このとき、第２のプッシャプレート１３と第３のプッシャプレート１４とは初期位置にあるので、分離繰出／スタック機構５の送りローラにより一時保留空間内に送られた紙幣（受入紙幣）は第２のプッシャプレート１３の上面に積み重なる。また、第１のプッシャプレート１２は紙幣投入空間に投入された紙幣を繰り出すために受けプレート１１側に移動しているので、スタック機構４の送りローラによりリジェクト紙幣収納空間内に送られた紙幣（リジェクト紙幣）は第１のプッシャプレート１２の上面に積み重なる。
【００４７】
分離繰出機構３の繰出ローラ３ａ、および空検知レバー３１は、第１のプッシャプレート１２のスリット１２ａに対向しているので、紙幣投入空間に投入された紙幣が全て繰り出されると、バネ３ｄ、３２の付勢力により、このスリット１２ａを介して第２のプッシャプレート１３側に突出する。これにより、空検知センサ３３がオフする。紙幣処理装置１は、空検知センサ３３がオンからオフに変化すると、紙幣投入空間に投入された紙幣を全て繰り出したと判断する。言い換えれば、紙幣処理装置１は空検知センサ３３がオンからオフに変化すると、紙幣投入空間に収納されている紙幣がないと判断する。
【００４８】
紙幣処理装置１は、紙幣投入空間に投入された全ての紙幣について鑑別を完了し、この鑑別結果に基づいて一時保留空間、またはリジェクト紙幣収納空間に収納すると、リジェクト紙幣収納空間にリジェクト紙幣が収納されているかどうかを判定する（ｓ１２）。ｓ１２では、発光部４１から照射している光が受光部４２において受光されていればリジェクト紙幣収納空間にリジェクト紙幣が収納されていないと判定し、反対に受光部４２において受光されていなければリジェクト紙幣収納空間にリジェクト紙幣が収納されていると判定する。紙幣処理装置１は、リジェクト紙幣収納空間にリジェクト紙幣が収納されていると判定すると、シャッタ２ａを開する（ｓ１３）。このとき、第１のプッシャプレート１２は受けプレート１１に当接しており、その一方の端部が略入出金口２の下端の辺に沿う位置にあり、また第２のプッシャプレート１３は一方の端部が略入出金口２の上端の辺に沿う位置にある。したがって、ｓ１２でシャッタ２ａが開されたことにより、利用者は入出金口２に対向しているリジェクト紙幣収納空間に収納されている紙幣を取り出すことができる。言い換えれば、紙幣処理装置１は、シャッタ２ａを開することにより、リジェクト紙幣を利用者に返却することができる。
【００４９】
紙幣処理装置１は、リジェクト紙幣収納空間に収納しているリジェクト紙幣が利用者により取り出されると（ｓ１４）、シャッタ２ａを閉する（ｓ１５）。ｓ１４では、発光部４１から照射している光が受光部４２において受光されたときに、リジェクト紙幣が利用者により取り出されたと判定する。また、紙幣処理装置１は、ｓ１１でリジェクト紙幣収納空間にリジェクト紙幣が収納されていないと判定した場合、またはｓ１５でシャッタ２ａを閉すると、投入金額の確認、追加投入の要求、または入金取引の中止の要求のいずれかにかかる入力が行われるのを待つ（ｓ１６〜ｓ１８）。紙幣処理装置１は、紙幣の追加投入にかかる入力が行われると、第１のプッシャプレート１２を初期位置に戻し（ｓ１９）、ｓ２に戻って上記処理を繰り返す。このとき、第２のプッシャプレート１３、および第３のプッシャプレート１４も初期位置にある。
【００５０】
また、紙幣処理装置１は、投入金額の確認にかかる入力が行われると、第２のプッシャプレート１３を第３のプッシャプレート１４側に移動し、一時保留空間に収納されている受入紙幣を分離繰出／スタック機構５の繰出ローラ５に押圧する（ｓ２０）。このように、一時保留空間に収納されている紙幣を第２のプッシャプレート１２で分離繰出／スタック機構５の繰出ローラに適当な押圧力で押圧することができる。紙幣処理装置１は、分離繰出／スタック機構５の繰出ローラを回転させて、一時保留空間に収納している受入紙幣を１枚ずつ繰り出し（ｓ２１）、繰り出した紙幣を鑑別部６に搬送し、再度真券であるかどうかや金種の鑑別を行う（ｓ２２）。紙幣処理装置１は、鑑別部６における再鑑別で受入可能紙幣であると鑑別した紙幣については、その金種に応じた紙幣カートリッジ７ａ〜７ｃへ搬送し、収納する（ｓ２３、ｓ２４）。また、この紙幣の再鑑別で受入可能紙幣でないと鑑別された紙幣については、回収カートリッジ８へ搬送し、収納する（ｓ２３、ｓ２５）。紙幣処理装置１は、一時保留空間に収納している全ての受入紙幣を紙幣カートリッジ７ａ〜７ｃまたは回収カートリッジ８に収納するまで、ｓ２１〜ｓ２５の処理を繰り返す（ｓ２６）。紙幣処理装置１は、、一時保留空間に収納している全ての受入紙幣を紙幣カートリッジ７ａ〜７ｃまたは回収カートリッジ８に収納すると、今回の入金金額に応じた入金処理を行い（ｓ２７）、本処理を終了する。
【００５１】
また、紙幣処理装置１は、入金取引の中止にかかる入力があると、第２のアクチュエータ２４により第２のプッシャプレート１３を受けプレート１１に移動する（ｓ２８）。このとき、第１のプッシャプレート１２は受けプレート１１に当接している。したがって、第２のプッシャプレート１３は、受けプレート１１に当接している第１のプッシャプレートに当接する位置まで移動させることができる。紙幣処理装置１は、第２のプッシャプレート１３を受けプレート１１に当接している第１のプッシャプレート１２に当接する位置まで移動する。これにより、この第２のプッシャプレート１３に連結プレート２６で連結されている第３のプッシャプレート１４は、その一方の端部が略入出金口２の上端の辺に沿う位置に移動し、一時保留空間が入出金口２に対向する。その後、紙幣処理装置１は、シャッタ２ａを開し（ｓ２９）、一時保留空間に収納されている紙幣が利用者により取り出されると（ｓ３０）、シャッタ２ａを閉し（ｓ３１）、本処理を終了する。この場合には、入金処理は行われない。
【００５２】
また、紙幣処理装置１は、この入金取引後に、紙幣投入空間、リジェクト紙幣収納空間、または一時保留空間のいずれかに、利用者が取り忘れた紙幣が残っていると、その紙幣を繰り出して回収カートリッジ８に収納する。紙幣投入空間に収納されている紙幣は、第１のプッシャプレート１２で分離繰出機構３の繰出ローラに押圧し、繰り出す。また、一時保留空間に収納されている紙幣は、第２のプッシャプレート１３で分離繰出／スタック機構５の繰出ローラに押圧し、繰り出す。さらに、リジェクト紙幣収納空間に収納されている紙幣は、図１２に示すように、第１のアクチュエータ２１により第１のプッシャプレート１２を受けプレート１１に当接する位置まで移動し、さらに第２のアクチュエータ２４により第２のプッシャプレート１３を受けプレート１１に当接している第１のプッシャプレート１２側に移動させることで、リジェクト紙幣収納空間に収納されている紙幣を分離繰出機構３の繰出ローラに押圧し、繰り出す。このとき、リジェクト紙幣収納空間に収納されている紙幣により空検知レバー３１が押圧されて回動するので、空検知センサ３３がオンする。また、空検知レバー３１は、第２のプッシャプレート１３の溝１３ｂに対向しているので、リジェクト紙幣収納空間に収納されている紙幣が全て繰り出されると、バネ３２の付勢力により、この溝１３ｂに入り込む。これにより、空検知センサ３３がオフする。紙幣処理装置１は、空検知センサ３３がオンからオフに変化し、且つ発光部４１から照射している光が受光部４２において受光されていれば、リジェクト紙幣収納空間に収納されていた紙幣を全て繰り出したと判定する。
【００５３】
このように、この実施形態の紙幣処理装置１は、受けプレート１１と第１〜第３のプッシャプレート１２〜１４との４枚のプレートで分割した３つの空間のいずれかを、入出金口２に対向させることができる。具体的に言うと、紙幣の投入時には受けプレート１１と第１のプッシャプレート１２とで区切られた紙幣投入空間を入出金口２に対向させ、またリジェクト紙幣の返却時には第１のプッシャプレート１２と第２のプッシャプレート１３とで区切られたリジェクト紙幣収納空間を入出金口２に対向させ、さらに入金取引が途中で中止されたときには、受入紙幣を収納している第２のプッシャプレート１３と第３のプッシャプレート１４とで区切られた一時保留空間を入出金口２に対向させることができる。したがって、入金紙幣の投入、リジェクト紙幣の返却、入金取引が途中で中止されたときの受入紙幣の返却が、第１〜第３のプッシャプレート１２〜１４の移動により行え、装置本体を小型にできる。また、２つのアクチュエータ（第１のアクチュエータ２１、第２のアクチュエータ２４）で３枚のプッシャプレート（第１〜第３のプッシャプレート１２〜１４）を移動する構成であるので、装置本体を一層小型にできる。さらに、紙幣処理装置１は、発光部４１と受光部４２からなるセンサと、空検知センサ３３とを含む簡単な構成で、紙幣投入空間およびリジェクト紙幣収納空間に対して個別に紙幣が収納されているかどうかを検知することができ、装置本体のコストアップが十分に抑えられ、安価にできる。
【００５４】
次に、出金取引時の動作について説明する。図１３は、この実施形態の紙幣処理装置における出金取引時の処理を示すフローチャートである。紙幣処理装置１は、出金取引が選択されると、この処理を開始する。紙幣処理装置１は、第１〜第３のプッシャプレート１２〜１４を初期位置に移動し（ｓ４１）、出金金額の入力を受け付ける（ｓ４２）。紙幣処理装置１は、入力された出金金額に基づいて、金種毎に紙幣の放出枚数を決定する（ｓ４３）。紙幣処理装置１は、紙幣カートリッジ７ａ〜７ｃから金種毎にｓ４３で決定した放出枚数の紙幣を繰り出し、鑑別部６に搬送する。鑑別部６において、真券であるかどうかや金種の鑑別を行う（ｓ４５）。紙幣処理装置１は、ｓ４５で真券であると鑑別された紙幣を一時保留空間に搬送し、収納する（ｓ４６、ｓ４７）。反対に真券であることが確認されなかった紙幣については、回収カートリッジ８に搬送し、収納する（ｓ４６、ｓ４８）。
【００５５】
紙幣処理装置１は、ｓ４２で入力された出金金額に相当する紙幣を、一時保留空間に収納すると、第１のアクチュエータ２１により第１のプッシャプレート１２を受けプレート１に当接する位置まで移動する（ｓ５０）。さらに、紙幣処理装置１は、第２のアクチュエータ２４により第２のプッシャプレート１３を受けプレート１１に当接している第１のプッシャプレート１２に当接する位置まで移動する（ｓ５１）。これにより、入出金口２に一時保留空間が対向する。紙幣処理装置１は、この状態でシャッタ２ａを開し（ｓ５２）、一時保留空間に収納されている紙幣が利用者により取り出されると（ｓ５３）、シャッタ２ａを閉する（ｓ５４）。また、紙幣処理装置１は今回の出金取引における出金金額に応じた出金処理を行って（ｓ５５）、本処理を終了する。
【００５６】
なお、紙幣処理装置１は、利用者が取り忘れた紙幣が一時保留空間に残っていると、その紙幣を繰り出して回収カートリッジ８に収納する。
【００５７】
このように、出金取引においても何らの問題もなく、出金紙幣を一時保留部に収納し、利用者に出金することができる。
【図面の簡単な説明】
【００５８】
【図１】この発明の実施形態である紙幣処理装置の主要部の構成を示す図である。
【図２】受けプレート、および第１〜第３のプッシャプレートの位置を示す図である。
【図３】受けプレート、および第１〜第３のプッシャプレートの位置を示す図である。
【図４】受けプレート、および第１〜第３のプッシャプレートの位置を示す図である。
【図５】受けプレート、および第１〜第３のプッシャプレートの位置を示す図である。
【図６】この発明の収納紙幣検知手段、および押圧検知手段にかかる構成を説明する図である。
【図７】この実施形態の紙幣処理装置における第１のプッシャプレートを示す図である。
【図８】この実施形態の紙幣処理装置における第２のプッシャプレートを示す図である。
【図９】この実施形態の紙幣処理装置における入金取引時の処理を示すフローチャートである。
【図１０】この実施形態の紙幣処理装置における入金取引時の処理を示すフローチャートである。
【図１１】この発明の収納紙幣検知手段、および押圧検知手段にかかる構成を説明する図である。
【図１２】この発明の収納紙幣検知手段、および押圧検知手段にかかる構成を説明する図である。
【図１３】この実施形態の紙幣処理装置における出金取引時の処理を示すフローチャートである。
【符号の説明】
【００５９】
１−紙幣処理装置
２−入出金口
２ａ−シャッタ
３ａ−繰出ローラ
１１−受けプレート
１２−第１のプレート
１２ａ−スリット
１２ｂ、１２ｃ−開口部
１３−第２のプレート
１３ａ−プリズム
１３ｂ−溝
１４−第３のプレート
２１−第１のアクチュエータ
２３−駆動プレート
２４−第２のアクチュエータ
２６−連結プレート
２６ａ−長穴
２７−凸部
３１−空検知レバー
３２−バネ
３３−空検知センサ
４１−発光部
４２−受光部
【図１】
2006004039.tif 000003
【図２】
2006004039.tif 000004
【図３】
2006004039.tif 000005
【図４】
2006004039.tif 000006
【図５】
2006004039.tif 000007
【図６】
2006004039.tif 000008
【図７】
2006004039.tif 000009
【図８】
2006004039.tif 000010
【図９】
2006004039.tif 000011
【図１０】
2006004039.tif 000012
【図１１】
2006004039.tif 000013
【図１２】
2006004039.tif 000014
【図１３】
2006004039.tif 000015